(57)【要約】【課題】  ディスプレイパネルの凸凹、放熱を改善することができる表示装置を提供する。【解決手段】  本出願によるディスプレイ装置は、第１表示部と第１表示部から曲げられた第２表示部を含むディスプレイパネル、第１表示部の背面に結合した支持プレート、支持プレートを収納し、第２表示部の背面と結合したハウジングを含む。【選択図】  図１
2019101430.tif 000002
【特許請求の範囲】
【請求項１】
第１表示部、および前記第１表示部から曲げられた第２表示部を含むディスプレイパネルと、
前記第１表示部の背面に結合された支持プレートと、
前記支持プレートを収納して前記第２表示部の背面に結合されたハウジングとを含む、ディスプレイ装置。
【請求項２】
前記第２表示部が、一定の曲率半径を有するように曲げられ、
前記ハウジングは、前記第２表示部を支持する、請求項１に記載のディスプレイ装置。
【請求項３】
前記ハウジングが、
前記支持プレートの背面側の端を支持する４辺を備えた背面フレームと、
前記背面フレームの一側端を除いた残りの端に設けられ、前記支持プレートの側面を包み込む第１ハウジング側壁、第２ハウジング側壁および第３ハウジング側壁とを含む、請求項１に記載のディスプレイ装置。
【請求項４】
前記第１ハウジング側壁、第２ハウジング側壁および第３ハウジングの側壁のうち前記支持プレートを間に置いて互いに平行な第１及び第２ハウジング側壁が、一定の曲率半径を有する、請求項３に記載のディスプレイ装置。
【請求項５】
前記第３ハウジング側壁が、前記ディスプレイパネルの対応する側面を包み込む、請求項４に記載のディスプレイ装置。
【請求項６】
前記背面フレームの一側端に設けられる収納部をさらに含む、請求項３に記載のディスプレイ装置。
【請求項７】
多数の回路が実装されてディスプレイパネルに接続された回路基板をさらに含み、
前記回路基板が、前記収納部に収納される、請求項６に記載のディスプレイ装置。
【請求項８】
前記第１及び第２表示部を囲む非表示部をさらに含み、
前記非表示部の一側端にパッド部が設けられ、
前記パッド部が軟性フィルムを介して前記回路基板に接続された、請求項７に記載のディスプレイ装置。
【請求項９】
前記軟性フィルムが、一定の曲率半径を有するように曲げられた、請求項８に記載のディスプレイ装置。
【請求項１０】
背面フレームを支持する固定部材をさらに含み、
前記非表示部の一側端が前記背面フレームと前記固定部材との間に配置して固定された、請求項８に記載のディスプレイ装置。
【請求項１１】
前記ディスプレイパネルの前面に設けられる透光性フィルムをさらに含む、請求項１に記載のディスプレイ装置。
【請求項１２】
前記透光性フィルムが前記ハウジングの背面に接着される、請求項１１に記載のディスプレイ装置。
【請求項１３】
第１表示部、および前記第１表示部と異なる視野角を有する領域である第２表示部を備えたフレキシブル表示パネルと、
少なくとも一つの平坦面を備えて前記平坦面が前記第１表示部に結合された剛性支持部と、
前記剛性支持部を支持または結合するハウジングとを含み、
前記第２表示部は、前記ハウジングまたは前記剛性支持部に結合されたディスプレイ装置。
【請求項１４】
前記剛性支持部が、支持プレートを含む、請求項１３に記載のディスプレイ装置。
【請求項１５】
前記表示パネルの前記表示部を囲む非表示部をさらに含む、請求項１４に載のディスプレイ装置。
【請求項１６】
多数の回路を実装してディスプレイパネルに接続された回路基板と、
前記非表示部の一側端に設けられ、一定の曲率半径を有するように曲げられた軟性フィルムを介して前記回路基板に接続されたパッド部とをさらに含む、請求項１５に載のディスプレイ装置。
【請求項１７】
前記非表示部が、前記表示部の一側端から対応する端あるいは前記ハウジングの背面に延長して前記ハウジングに付着する、請求項１５に記載のディスプレイ装置。
【請求項１８】
前記ハウジングの背面に配置された固定部材をさらに含み、
前記非表示部の一側端は、前記ハウジングと前記固定部材の間に配置され、前記固定部材によって前記ハウジングに固定される、請求項１５に記載のディスプレイ装置。
【請求項１９】
前記ハウジングが、
前記支持プレートの背面側の端を支持し４辺を備えた背面フレームと、
前記背面フレームの一側端を除く三側端に設けられ、前記支持部材の３側面を包み込む第１ハウジング側壁、第２ハウジング側壁及び第３ハウジング側壁とを含む、請求項１４に記載のディスプレイ装置。
【請求項２０】
前記第１ハウジング側壁、第２ハウジング側壁及び前記第３ハウジング側壁のうち前記支持プレートを間に置いて互いに平行な第１及び第２ハウジング側壁が、一定の曲率半径を有する、請求項１９に記載のディスプレイ装置。
【発明の詳細な説明】
【技術分野】
【０００１】
本出願は、ディスプレイ装置に関するものである。
【背景技術】
【０００２】
情報化社会が発展するにつれて、映像を表示するための表示装置への要求が様々な形で高まっている。最近になって、よりスリム化されたディスプレイ装置が発売されていて、その中でフレキシブルなディスプレイ装置は、携帯が容易であり、様々な形状の装置に適用することができるなど、多くの利点を有している。
【０００３】
フレキシブルなディスプレイ装置は、基板を折り曲げることができる曲げ領域を含み、曲げ領域で基板を折り曲げて、ベゼルのサイズを減らすことができるので、狭いベゼルを有するディスプレイ装置を具現することができる。
【０００４】
フレキシブルディスプレイ装置は、フレキシブルなディスプレイパネルを備えている。ここで、ディスプレイパネルは、薄くて伸縮性の良い材質からなるので、外力によって凸凹が生じ得るという問題がある。
【先行技術文献】
【特許文献】
【０００５】
【特許文献１】特開２０１８−１５６１１６号公報
【発明の概要】
【発明が解決しようとする課題】
【０００６】
本出願は、ディスプレイパネルの凸凹、放熱を改善し得るディスプレイ装置を提供することを技術的課題とする。
【課題を解決するための手段】
【０００７】
本出願によるディスプレイ装置は、第１表示部と第１表示部から曲げられた第２表示部を含むディスプレイパネル、第１表示部の背面に結合した支持プレート、支持プレートを収納し、第２表示部の背面と結合したハウジングを含む。
【発明の効果】
【０００８】
本出願によるディスプレイ装置は、ディスプレイパネルの背面に支持プレートを結合させることによって、ラミネート工程を容易にすることができるとともに、凸凹を防止することができ、放熱問題を解決することができる。
【０００９】
本出願によるディスプレイ装置は、ディスプレイパネルの曲げるためにフレームを支持するプレートとハウジングの組立形態で具現して、軽量化を可能にし、後工程の容易性の確保が可能であり、商品品質を確保することができる。
【００１０】
上述した本出願の効果の他に、本出願の異なる特徴および利点は、以下の記述や、そのような記述および説明から、本出願が属する技術分野で通常の知識を有する者に明確に理解され得るだろう。
【図面の簡単な説明】
【００１１】
【図１】本出願の一例によるディスプレイ装置の分解斜視図である。
【図２】本出願の実施例１に係る表示装置の結合状態を線Ｉ−Ｉ’によって示す断面図である。
【図３】本出願の実施例１によるディスプレイ装置の結合状態を線ＩＩ−ＩＩ’によって示す断面図である。
【図４】本出願の一例によるディスプレイパネルと回路基板を示す平面図である。
【図５】本出願の実施例２による表示装置の結合状態を線Ｉ−Ｉ’によって示す断面図である。
【図６】本出願の実施例３による表示装置の結合状態を線Ｉ−Ｉ’によって示す断面図である。
【図７】本出願の一例によるディスプレイパネルを示す断面図である。
【発明を実施するための形態】
【００１２】
本出願の利点および特徴、そしてそれらを達成する方法は、添付の図と共に詳細に後述する実施例を参照すると明確になるだろう。しかし、本発明は、以下で開示する実施例に限定されるものではなく、互いに異なる多様な形態で具現されるものであり、単に本実施例は、本発明の開示を完全にし、本発明が属する技術分野で通常の知識を有する者に発明の範疇を完全に知らせるために提供されるものであり、本発明は、請求項の範疇によってのみ定義される。
【００１３】
本発明の実施例を説明するために図で開示した形状、大きさ、比率、角度、数などは例示的なものなので、本発明は、図に示した事項に限定されるものではない。明細書全体にわたって同一参照符号は同一の構成要素を指すことができる。また、本発明を説明するにおいて、関連する公知技術に対する詳細な説明が本発明の要旨を不必要に曖昧にすると判断される場合、その詳細な説明は省略する。
【００１４】
本明細書で言及した「含む」、「有する」、「からなる」などが使用されている場合は、「〜だけ」が使用されていない限り、他の部分が追加され得る。構成要素を単数で表現する場合に、特に明示的な記載事項がない限り、複数が含まれる場合を含む。
【００１５】
構成要素を解釈するに当たり、別途の明示的な記載がなくても誤差の範囲を含むものと解釈する。
【００１６】
位置関係の説明である場合には、例えば、「〜上に」、「〜の上部に」、「〜の下部に」、「〜の隣に」など２つの部分の位置関係が説明されている場合は、「すぐに」または「直接」が使用されていない以上、二つの部分の間に１つ以上の他の部分が位置することもできる。
【００１７】
時間の関係に対する説明である場合には、例えば、「〜の後」、「〜に続いて」、「〜次に」、「〜前に」などで時間的前後関係が説明されている場合は、「すぐに」または「直接」が使用されていない以上、連続していない場合も含むことができる。
【００１８】
第１、第２などが多様な構成要素を記述するために使用されるが、このような構成要素はこのような用語によって制限されない。このような用語は、ただ一つの構成要素を他の構成要素と区別するために使用されるものである。したがって、以下に記載されている第１構成要素は、本発明の技術的思想内で第２構成要素であることもある。
【００１９】
「第１水平軸方向」、「第２水平軸方向」および「垂直軸方向」は、互いの関係が垂直方向に成り立った幾何学的な関係だけで解釈されてはならず、本発明の構成は、機能的に作用することができる範囲内より広い方向性を有することを意味することができる。
【００２０】
「少なくとも一つ」の用語は、一つ以上の関連項目から提示可能なすべての組み合わせを含むものと理解されなければならない。たとえば、「第１項目、第２項目及び第３項目のうち少なくとも一つ」の意味は、第１項目、第２項目または第３項目のそれぞれのみならず、第１項目、第２項目及び第３項目の中で２つ以上から提示することができるすべての項目の組み合わせを意味する。
【００２１】
本発明のいくつかの例のそれぞれの特徴が部分的または全体的に互いに結合または組み合わせ可能で、技術的に様々な連動および駆動が可能であり、各実施例が互いに独立して実施可能であり、連関した関係で一緒に実施することもできる。
【００２２】
以下では、本出願によるディスプレイ装置の好ましい例を添付の図を参照して詳細に説明する。各図の構成要素に参照符号を付加するにおいて、同一の構成要素に対して、たとえ他の図面上に表示されていても、可能な限り同一の符号を有することができる。
【００２３】
図１は、本出願の一例によるディスプレイ装置の分解斜視図であり、図２は、本出願の実施例１に係る表示装置の結合状態を線Ｉ−Ｉ’によって示す断面図であり、図３は、本出願の実施例１によるディスプレイ装置の結合状態を線ＩＩ−ＩＩ’によって示す断面図であり、図４は、本出願の一例によるディスプレイパネルおよび回路基板を示す断面図である。
【００２４】
図１〜図４を参照すると、本出願の実施例１に係るディスプレイ装置は、ディスプレイパネル１００、軟性フィルム２１０、回路基板２３０、支持プレート３００、ハウジング４００を含む。
【００２５】
ディスプレイパネル１００は、映像を表示するもので、液晶ディスプレイパネル、有機電界発光（ＯＬＥＤ：Ｏｒｇａｎｉｃ  Ｌｉｇｈｔ  Ｅｍｉｔｔｉｎｇ  Ｄｉｏｄｅ）ディスプレイパネル、および電界発光ディスプレイパネル（ｅｌｅｃｔｒｏｌｕｍｉｎｅｓｃｅｎｔ  ｄｉｓｐｌａｙ  ｐａｎｅｌ）など、あらゆる形態のディスプレイパネルで具現することができる。ディスプレイパネル１００は、表示部（ＤＰ）、および非表示部（ＮＰ）を含む。
【００２６】
表示部（ＤＰ）は、映像を表示する領域であり、ディスプレイパネル１００の中央部分に定義することができる。表示部（ＤＰ）は、第１表示部（ＤＰ１）と、第１表示部（ＤＰ１）から曲げられた第２表示部（ＤＰ２）を含む。
【００２７】
第１表示部（ＤＰ１）は、ディスプレイパネル１００の前面に映像を表示する領域であり前面表示部として定義することができる。
【００２８】
第２表示部（ＤＰ２）は、ディスプレイパネル１００の側面に映像を表示する領域でありエッジ表示部として定義することができる。第２表示部（ＤＰ２）は表示部（ＤＰ）の互いに向かい合った両側面の端部に設けられ、映像を表示する。第２表示部（ＤＰ２）は、第１表示部（ＤＰ１）から曲げて一定の曲率半径を有するように曲げることができる。ここで、第２表示部（ＤＰ２）の幅は、曲げ時の曲率半径によって設定され得る。
【００２９】
非表示部（ＮＰ）は、映像が表示されない領域であって、表示部（ＤＰ）を囲むようにディスプレイパネル１００の端部に定義することができる。非表示部（ＮＰ）は、第１非表示部（ＮＰ１）、第２非表示部（ＮＰ１）及び第３非表示部（ＮＰ１）を含む。
【００３０】
第１非表示部（ＮＰ１）は、表示部前面から見た時、ディスプレイパネル１００の左右の端部に配置され、第２表示部（ＤＰ２）と同じように曲げられる領域である。第１非表示部（ＮＰ１）は、ゲート駆動部を含むことができる。ここで、ゲート駆動部は、ＧＩＰ方法で形成することができる。
【００３１】
前記第２非表示部（ＮＰ２）は、表示部前面から見た時、ディスプレイパネル１００の上側端部に配置される。
【００３２】
第３非表示部（ＮＰ３）は、表示部前面から見た時、ディスプレイパネル１００の一側端部、詳細には下側の端部に配置される領域であり回路基板２３０と接続するパッド部を含む。前記パッド部は表示部（ＤＰ）に設けられた薄膜トランジスタに信号を伝達するための複数のパッドを含むことができる。
【００３３】
軟性フィルム２１０は、第３非表示部（ＮＰ３）に設けられたパッド部と回路基板２３０を接続するように第３非表示部（ＮＰ３）の一部の領域と重畳して設けられる。軟性フィルム２１０には、パッド部とソースドライブ集積回路を接続する配線、パッド部と回路基板２３０の配線を接続する配線を形成することができる。軟性フィルム２１０は、異方性導電フィルム（ａｎｔｉｓｏｔｒｏｐｉｃ  ｃｏｎｄｕｃｔｉｎｇ  ｆｉｌｍ）を利用して、複数のパッド上に付着して、これにより、複数のパッドと軟性フィルム２１０の配線が接続することができる。
【００３４】
回路基板２３０は、第３非表示部（ＮＰ３）と離隔して軟性フィルム２１０と接続するように設けられる。回路基板２３０は、ディスプレイパネル１００に駆動信号を伝達するための駆動チップで具現された多数の回路を含むことができる。例えば、回路基板２３０には、タイミング制御部を実装することができる。回路基板２３０は、プリント回路基板（ｐｒｉｎｔｅｄ  ｃｉｒｃｕｉｔ  ｂｏａｒｄ）またはフレキシブルプリント回路基板（ｆｌｅｘｉｂｌｅ  ｐｒｉｎｔｅｄ  ｃｉｒｃｕｉｔ  ｂｏａｒｄ）であり得る。
【００３５】
支持プレート３００は、ディスプレイパネル１００の背面に配置される。詳細には支持プレート３００は、第１表示部（ＤＰ１）の背面に結合することができる。支持プレート３００は、ディスプレイパネル１００の背面に配置して、ディスプレイパネル１００を固定して支持することができる。支持プレート３００は、メタル材質からなる金属シートまたは金属プレートであり得、または強化ガラス材質からなり得る。
【００３６】
支持プレート３００は、ディスプレイパネル１００を固定することができるので、ディスプレイパネル１００の薄型構造によって表面に凸凹した形状が露出することを防止することができる。支持プレート３００は、ディスプレイパネル１００の表面に凸凹が発生することを防止することができるので、映像の画質が低下することを防止することができる。
【００３７】
支持プレート３００は、接着部材を介してディスプレイパネル１００に付着する。接着部材は、熱硬化型または自然硬化型の接着剤であり得る。例えば、接着部材は、減圧接着剤または吸湿機能を有するバリア減圧接着剤のような物質からなり得る。
【００３８】
支持プレート３００は、メタル材質または強化ガラス材質からなり、ディスプレイパネル１００を平坦に支持することができるので、ラミネート工程を容易にすることができる。支持プレート３００は、メタル材質からなり得、メタル材質からなる物質は、放熱効果が優れているので、ディスプレイパネル１００の発光素子で発生した熱が支持プレート３００を介して外部に排出され易い。
【００３９】
ハウジング４００は、支持プレート３００の背面に配置される。ハウジング４００は、支持プレート３００の背面に配置して支持プレート３００を収納することができる。ハウジング４００は、支持プレート３００を収納し、第２表示部（ＤＰ２）の背面および第１非表示部（ＮＰ１）の背面と結合することができる。つまり、ハウジング４００の一部は、第１表示部（ＤＰ１）の背面に結合した支持プレート３００を収納し、他の一部は、第２表示部（ＤＰ２）の背面および第１非表示部（ＮＰ１）の背面と結合してディスプレイパネル１００を支持することができる。ハウジング４００は、加工しやすいプラスチックまたは金属材質からなり得る。ハウジング４００は、熱による変形率が最小になり得る金属またはプラスチック材質からなり、ディスプレイパネル１００を支持することができる。
【００４０】
ハウジング４００は、接着部材を介してディスプレイパネル１００および支持プレート３００に付着する。接着部材は、熱硬化型または自然硬化型の接着剤であり得る。例えば、接着部材は、減圧接着剤または吸湿機能を有するバリア減圧接着剤のような物質からなり得る。
【００４１】
ハウジング４００は、背面フレーム４１０、ハウジング側壁４２０を含む。
【００４２】
背面フレーム４１０は、支持プレート３００の背面の端部を支持することができるように支持プレート３００の背面に配置する。背面フレーム４１０は、支持プレート３００を支持するための部分で、ハウジング４００の底面として定義することができる。背面フレーム４１０は、支持プレート３００の背面全部ではなく、背面の端部を支持する構造で形成することができる。つまり、背面フレーム４１０は、中央部にホール（または開口部）を有する額縁形のフレームで形成することができる。
【００４３】
ハウジング側壁４２０は、背面フレーム４１０の一側端部を除いた残りの端部に設けられ、支持プレート３００の側面を覆うように形成することができる。ハウジング側壁４２０は、第１ハウジング側壁４２０ａ、第２ハウジング側壁４２０ｂ、第３ハウジング側壁４２０ｃを含む。
【００４４】
第１および第２ハウジング側壁４２０ａ、４２０ｂは、ハウジング４００の左右端部に設けられる。第１および第２ハウジング側壁４２０ａ、４２０ｂは、支持プレート３００を間に置いて互いに平行に設けることができる。第１および第２ハウジング側壁４２０ａ、４２０ｂは、ディスプレイパネル１００の第２表示部（ＤＰ２）と重畳する部分に設けられ、第２表示部（ＤＰ２）を支持することができる。第１および第２ハウジング側壁４２０ａ、４２０ｂは、第２表示部（ＤＰ２）と同様に、一定の曲率半径を有するラウンド構造で形成することができるので、第２表示部（ＤＰ２）を支持することができる。
【００４５】
第３ハウジング側壁４２０ｃは、ハウジング４００の上側端部に設けられる。第３ハウジング側壁４２０ｃは、ディスプレイパネル１００の第３ハウジング側壁４２０ｃに対応する側面を覆うように形成することができる。第３ハウジング側壁４２０ｃは、ディスプレイパネル１００の第２非表示部（ＮＰ２）と当接するように形成して、ディスプレイパネル１００の側面を支持することができる。第３ハウジング側壁４２０ｃは、ディスプレイパネル１００の側面を支持して、ディスプレイパネル１００の動きを防止し、ディスプレイパネルをガイドすることができる。
【００４６】
ハウジング４００は、額縁形のフレーム構造を有するので、フレームの軽量化が可能である。ハウジング４００を中央部が満たされた平板構造で形成する場合には、重量が増加して製造工程中にフレーム変形のような問題が発生し得る。本出願によるディスプレイ装置は、ハウジング４００の中央部にホールを形成した額縁形のフレームで構成されるので軽量化が可能になり、これにより商品品質を確保することができる。
【００４７】
ハウジング４００は、背面フレーム４１０とハウジング側壁４２０を介して、支持プレート３００およびディスプレイパネル１００を支持することができる。ここで、ディスプレイパネル１００の第２表示部（ＤＰ２）は、一定の曲率半径を有するように曲げられるので、これを支持する第１及び第２ハウジング側壁４２０ａ、４２０ｂも一定の曲率半径を有するように曲げられた形態を有することができる。このように、ハウジング４００は、第２表示部（ＤＰ２）と同じ曲率半径を有するように曲げられる第１及び第２ハウジング側壁４２０ａ、４２０ｂを介してディスプレイパネル１００を完全に固定することができ、薄型構造によりディスプレイパネル１００の表面に凸凹が生じることを防止することができ、これにより、映像の画質が低下することを防止することができる。
【００４８】
本出願によるディスプレイパネル１００は、１８０度の曲げが可能な構造で形成することができる。ここで、第１非表示部（ＮＰ１）は１８０度曲げて背面フレーム４１０に結合することができる。このように、ハウジング４００は、１８０度曲げが可能なディスプレイパネル１００の曲面をガイドすることができ、ディスプレイパネル１００の完全な固定を可能にすることができる。
【００４９】
一例によるハウジング４００は、収納部４３０を含むことができる。
【００５０】
収納部４３０は、背面フレーム４１０の一側端部、図３に示すように詳細には下側端部に設けられる。収納部４３０は、ディスプレイパネル１００の第３非表示部（ＮＰ３）と重畳する領域に設けることができる。収納部４３０は、第３非表示部（ＮＰ３）に設けられたパッド部と軟性フィルム２１０を介して接続した回路基板２３０を収納することができる。ここで、背面フレーム４１０の下側端部には、別途の側壁が形成されないため、軟性フィルム２１０を一定の曲率半径を有するように曲げて回路基板２３０を収納部４３０に収納することができる。詳細には、軟性フィルム２１０は、一定の曲率半径を有するラウンド構造を有することができ、本出願によるディスプレイ装置が結合した構造では、軟性フィルム２１０は、ディスプレイパネル１００から背面フレーム４１０が位置する方向に曲げて収納部４３０に回路基板２３０を収納することができる。
【００５１】
本出願によるディスプレイ装置は、別途の収納部４３０を設けて回路基板２３０を収納することができるので、回路基板２３０を外部から保護するための別途の保護フィルムを形成しなくても良いので、工程上有利である。また、回路基板２３０が外部に露出した構造に比べて、ディスプレイ装置のサイズを減らすことができ、また、回路基板２３０のサイズ分だけ映像が表示される表示領域のサイズを確保することができる。
【００５２】
図５は、本出願の実施例２による表示装置の結合状態を線Ｉ−Ｉ’によって示す断面図である。本出願の実施例２による表示装置は、実施例１に係るディスプレイ装置に固定部材をさらに備えた構成を有する。以下、図１〜図４と重複する説明は省略し、異なる構成について述べることにする。
【００５３】
図５を参照すると、本出願の実施例２による表示装置は、ハウジング４００の左右側背面に設けられた固定部材５００を含む。
【００５４】
固定部材５００は、ハウジング４００の背面に配置され、背面フレーム４１０を支持する。詳細には、固定部材５００は、第１および第２ハウジング側壁４２０ａ、４２０ｂが形成された背面フレーム４１０の左右側端部の背面に配置される。固定部材５００は、加工しやすいプラスチックまたは金属材質からなり得る。
【００５５】
固定部材５００は、背面フレーム４１０とともにディスプレイパネル１００を固定することができる。固定部材５００は、非表示部（ＮＰ）の一側端部、詳細には第１非表示部（ＮＰ１）の端部を固定することができる。第１非表示部（ＮＰ１）の端は、背面フレーム４１０と固定部材５００との間に配置し、固定することができる。ここで、固定部材５００は、第１非表示部（ＮＰ１）の端を機械的に固定するための押さえ金具の構造で形成することができる。つまり、固定部材５００は、第１非表示部（ＮＰ１）の端を押しながら固定することができるので、ディスプレイパネル１００と背面フレーム４１０間の結合が解けないようにすることができる。
【００５６】
固定部材５００は、ディスプレイパネル１００の曲げ領域を完全に固定することができる。本出願によるディスプレイパネル１００は、１８０度曲げが可能な構造で形成することができるので、１８０度曲げられた部分は、スプリングバックによって曲げを解こうとする力が作用し得る。ここで、固定部材５００は、ディスプレイパネル１００の曲げ領域の先端に対応する第１非表示部（ＮＰ１）を固定することができるので、ディスプレイパネル１００の１８０度曲げを維持することができる。
【００５７】
固定部材５００は、接着部材を媒介にしてハウジング４００に付着する。接着部材は、熱硬化型または自然硬化型の接着剤であり得る。例えば、接着部材は、減圧接着剤または吸湿機能を有するバリア減圧接着剤のような物質からなり得る。
【００５８】
図６は、本出願の実施例３による表示装置の結合状態を線Ｉ−Ｉ’によって示す断面図である。本出願の実施例３によるディスプレイ装置は、実施例１による表示装置において透光性フィルムをさらに備えた構成を有する。以下、図１〜図４と重複する説明は省略し、異なる構成について述べることにする。
【００５９】
図６を参照すると、本出願の実施例３によるディスプレイ装置は、ディスプレイパネル１００の前面に設けられる透光性フィルム６００を含む。
【００６０】
透光性フィルム６００は、透明接着層を媒介にしてディスプレイパネル１００の前面に付着する。透光性フィルム６００は、フレキシブルフィルムからなり得、例えば、ポリエチレンテレフタレート（ｐｏｌｙｅｔｈｙｌｅｎｅ  ｔｅｒｅｐｈｔｈａｌａｔｅ）フィルム、反射防止フィルム、偏光フィルム、および透過度制御フィルム（ｔｒａｎｓｍｉｔｔａｎｃｅ  ｃｏｎｔｒｏｌｌａｂｌｅ  ｆｉｌｍ）のうちの少なくとも一つのフィルムであり得る。透明接着層は、ＯＣＲ（ｏｐｔｉｃａｌｌｙ  ｃｌｅａｒ  ｒｅｓｉｎ）またはＯＣＡ（ｏｐｔｉｃａｌｌｙ  ｃｌｅａｒ  ａｄｈｅｓｉｖｅ）であり得る。
【００６１】
透光性フィルム６００は、ディスプレイパネル１００よりも長く延長してハウジング４００の背面に付着することができる。透光性フィルム６００は、ディスプレイパネル１００の前面を包む形態で設けることができ、透光性フィルム６００の両端は、ハウジング４００の背面に付着することができるので、ディスプレイパネル１００の固定を完全にすることができる。本出願によるディスプレイパネル１００は、１８０度曲げが可能な構造に形成することができるので、１８０度曲げられた部分は、スプリングバックによって曲げを解こうとする力が作用し得る。ここで透光性フィルム６００は、ディスプレイパネル１００の曲げ領域の先端に対応する第１非表示部（ＮＰ１）よりも延長してハウジング４００の背面に付着されるので、透光性フィルム６００とハウジング４００間に設けられるディスプレイパネル１００の固定を強化することができ、ディスプレイパネル１００の１８０度曲げを維持することができる。
【００６２】
図７は、本出願の一例によるディスプレイパネルを示すための断面図である。
【００６３】
図７を参照すると、本出願の一例によるディスプレイパネル１００は、ベース基板１１０、薄膜トランジスタ（Ｔ）、平坦化層（ＰＡＣ）、有機発光素子（ＯＬＥＤ）、保護膜１８０、充填剤１９０、および対向基板１９５を含む。
【００６４】
ベース基板１１０は、ガラス基板またはフレキシブルなプラスチックフィルム（ｐｌａｓｔｉｃ  ｆｉｌｍ）であり得る。例えば、ベース基板１１０は、ＴＡＣ（ｔｒｉａｃｅｔｙｌ  ｃｅｌｌｕｌｏｓｅ）またはＤＡＣ（ｄｉａｃｅｔｙｌ  ｃｅｌｌｕｌｏｓｅ）などのセルロース樹脂、ノルボルネン誘導体（Ｎｏｒｂｏｒｎｅｎｅ  ｄｅｒｉｖａｔｉｖｅｓ）などのＣＯＰ（ｃｙｃｌｏ  ｏｌｅｆｉｎ  ｐｏｌｙｍｅｒ）、ＣＯＣ（ｃｙｃｌｏ  ｏｌｅｆｉｎ  ｃｏｐｏｌｙｍｅｒ）、ＰＭＭＡ（ｐｏｌｙ（ｍｅｔｈｙｌｍｅｔｈａｃｒｙｌａｔｅ）などのアクリル樹脂、ＰＣ（ｐｏｌｙｃａｒｂｏｎａｔｅ）、ＰＥ（ｐｏｌｙｅｔｈｙｌｅｎｅ）またはＰＰ（ｐｏｌｙｐｒｏｐｙｌｅｎｅ）などのポリオレフィン（ｐｏｌｙｏｌｅｆｉｎ）、ＰＶＡ（ｐｏｌｙｖｉｎｙｌ  ａｌｃｏｈｏｌ）、ＰＥＳ（ｐｏｌｙ  ｅｔｈｅｒ  ｓｕｌｆｏｎｅ）、ＰＥＥＫ（ｐｏｌｙｅｔｈｅｒｅｔｈｅｒｋｅｔｏｎｅ）、ＰＥＩ（ｐｏｌｙｅｔｈｅｒｉｍｉｄｅ）、ＰＥＮ（ｐｏｌｙｅｔｈｙｌｅｎｅｎａｐｈｔｈａｌａｔｅ）、ＰＥＴ（ｐｏｌｙｅｔｈｙｌｅｎｅｔｅｒｅｐｈｔｈａｌａｔｅ）などのポリエステル（ｐｏｌｙｅｓｔｅｒ）、ＰＩ（ｐｏｌｙｉｍｉｄｅ）、ＰＳＦ（ｐｏｌｙｓｕｌｆｏｎｅ）、またはフッ素樹脂（ｆｌｕｏｒｉｄｅ  ｒｅｓｉｎ）などを含むシートまたはフィルムであり得るが、これに限定されない。
【００６５】
ベース基板１１０上には、バッファ層を追加で設けることができる。バッファ層は、ベース基板１１０の上部前面に設けることができる。バッファ層は、ディスプレイパネル１００の内部に水分が浸透することを防止する機能をする。バッファ層は、無機絶縁物質、例えば、ＳｉＯ２（ｓｉｌｉｃｏｎ  ｄｉｏｘｉｄｅ）、ＳｉＮｘ（ｓｉｌｉｃｏｎ  ｎｉｔｒｉｄｅ）、またはそれらの多重層からなり得るが、これに限定されない。
【００６６】
薄膜トランジスタ（Ｔ）は、ベース基板１１０上に配置される。薄膜トランジスタ（Ｔ）は、アクティブ層（ＡＣＴ）、ゲート絶縁膜（ＧＩ）、ゲート電極（ＧＥ）、層間絶縁膜（ＩＬＤ）、ソース電極（ＳＥ）及びドレイン電極（ＤＥ）を含む。
【００６７】
アクティブ層（ＡＣＴ）は、ベース基板１１０上に設けられる。アクティブ層（ＡＣＴ）は、ゲート電極（ＧＥ）と重畳するように配置される。アクティブ層（ＡＣＴ）は、ソース電極（ＳＥ）側に位置した一端領域、ドレイン電極（ＤＥ）側に位置する他端領域、および一端領域と他端領域の間に位置する中心領域からなり得る。この場合には、中心領域は、ドーパントがドーピングしていない半導体物質からなり、一端領域と他端領域はドーパントがドーピングした半導体物質からなり得る。
【００６８】
ゲート絶縁膜（ＧＩ）は、アクティブ層（ＡＣＴ）上に設けられる。ゲート絶縁膜（ＧＩ）は、アクティブ層（ＡＣＴ）とゲート電極（ＧＥ）を絶縁する機能をする。ゲート絶縁膜（ＧＩ）は、アクティブ層（ＡＣＴ）を覆うように備えられる。ゲート絶縁膜（ＧＩ）は、無機絶縁物質、例えば、ＳｉＯ２（ｓｉｌｉｃｏｎ  ｄｉｏｘｉｄｅ）、ＳｉＮｘ（ｓｉｌｉｃｏｎ  ｎｉｔｒｉｄｅ）、またはそれらの多重層からなり得るが、これに限定されない。
【００６９】
ゲート電極（ＧＥ）は、ゲート絶縁膜（ＧＩ）上に設けられる。ゲート電極（ＧＥ）は、ゲート絶縁膜（ＧＩ）を間に置いて、アクティブ層（ＡＣＴ）の中心領域と重畳する。ゲート電極（ＧＥ）は、例えば、モリブデン（Ｍｏ）、アルミニウム（Ａｌ）、クロム（Ｃｒ）、金（Ａｕ）、チタニウム（Ｔｉ）、ニッケル（Ｎｉ）、ネオジム（Ｎｄ）、銅（Ｃｕ）のうちいずれか一つ、またはこれらの合金からなる単一層または多重層であり得るが、これに限定されない。
【００７０】
層間絶縁膜（ＩＬＤ）は、ゲート電極（ＧＥ）上に設けられる。層間絶縁膜（ＩＬＤ）は、ゲート電極（ＧＥ）とソース電極（ＳＥ）またはドレイン電極（ＤＥ）を絶縁する機能をする。層間絶縁膜（ＩＬＤ）は、ゲート絶縁膜（ＧＩ）と同じ無機絶縁物質、例えば、ＳｉＯ２（ｓｉｌｉｃｏｎ  ｄｉｏｘｉｄｅ）、ＳｉＮｘ（ｓｉｌｉｃｏｎ  ｎｉｔｒｉｄｅ）、またはそれらの多重層からなり得るが、これに限定されない。
【００７１】
ソース電極（ＳＥ）及びドレイン電極（ＤＥ）は、層間絶縁膜（ＩＬＤ）上で互いに離隔して配置される。前述したゲート絶縁膜（ＧＩ）と層間絶縁膜（ＩＬＤ）には、アクティブ層（ＡＣＴ）の一端領域の一部を露出させる第１コンタクトホール（ＣＮＴ１）およびアクティブ層（ＡＣＴ）の他端領域の一部を露出させる第２コンタクトホール（ＣＮＴ２）が設けられる。ソース電極（ＳＥ）は、第１コンタクトホール（ＣＮＴ１）を介してアクティブ層（ＡＣＴ）の一端領域と接続し、ドレイン電極（ＤＥ）は、第２コンタクトホール（ＣＮＴ２）を介してアクティブ層（ＡＣＴ）の他端領域と接続する。
【００７２】
上述した薄膜トランジスタ（Ｔ）の構成は、前述した例に限定されず、当業者が容易に実施することができる公知の構成で多様に変形可能である。
【００７３】
平坦化層（ＰＡＣ）は、ソース電極（ＳＥ）及びドレイン電極（ＤＥ）上に設けられる。平坦化層（ＰＡＣ）は、薄膜トランジスタ（Ｔ）を保護し、薄膜トランジスタ（Ｔ）が設けられているベース基板１１０の上部を平坦にする機能を実行する。平坦化層（ＰＡＣ）は、有機絶縁物質、例えば、アクリル系樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド系樹脂（ｐｏｌｙａｍｉｄｅｓ  ｒｅｓｉｎ）、ポリイミド系樹脂（ｐｏｌｙｉｍｉｄｅｓ  ｒｅｓｉｎ）などからなり得るが、これに限定されない。
【００７４】
平坦化層（ＰＡＣ）には、薄膜トランジスタ（Ｔ）の間に無機絶縁膜を追加で設けることができる。無機絶縁膜は、薄膜トランジスタ（Ｔ）を保護する機能をする。この場合、無機絶縁膜は、ゲート絶縁膜（ＧＩ）と同じ無機絶縁物質、例えば、ＳｉＯ２（ｓｉｌｉｃｏｎ  ｄｉｏｘｉｄｅ）、ＳｉＮｘ（ｓｉｌｉｃｏｎ  ｎｉｔｒｉｄｅ）、またはそれらの多重層からなり得るが、これに限定されない。
【００７５】
平坦化層（ＰＡＣ）には、薄膜トランジスタ（Ｔ）のドレイン電極（ＤＥ）を露出させる第３コンタクトホール（ＣＮＴ３）が設けられている。第３コンタクトホール（ＣＮＴ３）を介してドレイン電極（ＤＥ）と有機発光素子（ＯＬＥＤ）のアノード電極（ＡＮＤ）が電気的に接続する。
【００７６】
有機発光素子（ＯＬＥＤ）は、薄膜トランジスタ（Ｔ）上に設けられる。有機発光素子（ＯＬＥＤ）は、アノード電極（ＡＮＤ）、有機層（ＥＬ）、およびカソード電極（ＣＡＴ）を含む。
【００７７】
アノード電極（ＡＮＤ）は、平坦化層（ＰＡＣ）に設けられた第３コンタクトホール（ＣＮＴ３）を介して薄膜トランジスタ（Ｔ）のドレイン電極（ＤＥ）に接続する。互いに隣接したアノード電極（ＡＮＤ）間には、バンク（Ｂ）が設けられ、これにより、互いに隣接したアノード電極（ＡＮＤ）を電気的に絶縁することができる。バンク（Ｂ）は、有機絶縁物質、例えば、ポリイミド系樹脂（ｐｏｌｙｉｍｉｄｅｓ  ｒｅｓｉｎ）、アクリル系樹脂（ａｃｒｙｌ  ｒｅｓｉｎ）、ベンゾシクロブテン（ＢＣＢ）などからなり得るが、これに限定されない。
【００７８】
有機層（ＥＬ）は、アノード電極（ＡＮＤ）上に設けられる。有機層（ＥＬ）は、正孔輸送層（ｈｏｌｅ  ｔｒａｎｓｐｏｒｔｉｎｇ  ｌａｙｅｒ）、有機発光層（ｏｒｇａｎｉｃ  ｌｉｇｈｔ  ｅｍｉｔｔｉｎｇ  ｌａｙｅｒ）、電子輸送層（ｅｌｅｃｔｒｏｎ  ｔｒａｎｓｐｏｒｔｉｎｇ  ｌａｙｅｒ）を含むことができる。さらに、有機層（ＥＬ）は、発光層の発光効率および／または寿命を向上させるための少なくとも一つ以上の機能層をさらに含むこともできる。
【００７９】
カソード電極（ＣＡＴ）は、有機層（ＥＬ）とバンク（Ｂ）上に設けられる。アノード電極（ＡＮＤ）とカソード電極（ＣＡＴ）の電圧が印加されると正孔と電子がそれぞれ正孔輸送層と電子輸送層を介して有機発光層に移動し、有機発光層で互いに結合して発光することになる。
【００８０】
保護膜１８０は、有機発光素子（ＯＬＥＤ）の上に設けられる。保護膜１８０は、カソード電極（ＣＡＴ）上に設けられる。保護膜１８０は、充填剤１９０と接触するよう備えられる。保護膜１８０は、表示領域前面に備えることができる。保護膜１８０は、外部の衝撃から薄膜トランジスタ（Ｔ）および、有機発光素子（ＯＬＥＤ）を保護する。また、保護膜１８０は、ディスプレイパネル１００の内部に水分が浸透することを防止する機能を実行する。
【００８１】
充填剤１９０は、保護膜１８０上に設けられる。充填剤１９０は、保護膜１８０と接触する。充填剤１９０は、外部の衝撃から薄膜トランジスタ（Ｔ）および、有機発光素子（ＯＬＥＤ）などを保護する。また、充填剤１９０は、ベース基板１１０と対向基板１９５を合着する機能を実行する。
【００８２】
対向基板１９５は、有機発光素子（ＯＬＥＤ）および保護膜１８０上に設けられる。対向基板１９５は、前面に備えられる。対向基板１９５は、封止基板であり得る。対向基板１９５は、ディスプレイパネル１００の内部に水分が浸透することを防止する。また、対向基板１９５は、外部の衝撃からディスプレイパネル１００の内部に備えられた有機発光素子（ＯＬＥＤ）および薄膜トランジスタ（Ｔ）を保護する機能をする。
【００８３】
図に示していないが、対向基板１９５上に支持プレート３００を設けることができる。前述したように、支持プレート３００は、金属または強化ガラス材質からなり得るので、ディスプレイパネル１００より堅い構造を有する。したがって支持プレート３００は、ディスプレイパネル１００に加わる衝撃を吸収して、ディスプレイパネル１００を保護することができる。
【００８４】
本出願によるディスプレイ装置は、ディスプレイパネル１００のガイドを一つの平板に形成せずに、支持プレート３００とハウジング４００に分けて構成し、ハウジング４００は、中央部にホールを有する額縁形のフレームからなるので、ガイドの軽量化が可能になり、商品品質を確保することができる。支持プレート３００は、ディスプレイパネル１００の平面領域を支持することができ、ハウジング４００は、ディスプレイパネル１００の曲面領域を支持することができるので、ディスプレイパネル１００の完全な固定がなされてディスプレイパネル１００の表面に凸凹が生じることを防止することができる。
【００８５】
以上で説明した本発明は、前述した実施例及び添付した図に限定されるものではなく、本発明の技術的事項を逸脱しない範囲内で、複数の置換、変形及び変更が可能であることは、本発明が属する技術分野で通常の知識を有する者にとって明らかであろう。したがって、本発明の範囲は、後述する特許請求の範囲によって示され、特許請求の範囲の意味及び範囲そしてその等価概念から導出されるすべての変更または変形された形態が本発明の範囲に含まれるものと解釈されなければならない。
【図１】
2019101430.tif 000003
【図２】
2019101430.tif 000004
【図３】
2019101430.tif 000005
【図４】
2019101430.tif 000006
【図５】
2019101430.tif 000007
【図６】
2019101430.tif 000008
【図７】
2019101430.tif 000009